(57)【要約】【課題】電線やバインド線の絶縁被覆を損傷することなく、碍子に対するバインド線の巻き付け作業が簡単且つ迅速に行うことができるようにする。【解決手段】絶縁操作棒２と、該絶縁操作棒２に基端部５ａが回動支持されると共に、碍子２０に引っ掛けられるように形成された引掛部１５ａと、該引掛部１５ａの両側に螺旋状に巻回された巻回部１５ｃ，１５ｃとを有するバインド線１５を着脱する回動アーム５とを備えたバインド線着脱工具において、前記回動アーム５は、先端部５ｂの端部及びその対向面の距離が、電線１０とバインド線１５の半径を加えた長さとなるように、先端部５ｂが湾曲して形成され、しかも、先端部５ｂの端部及びその対向面６に、電線１０及びバインド線１５に当接する平坦面７を形成する。【選択図】図１
2010288412.tif 000002
【特許請求の範囲】
【請求項１】
絶縁操作棒（２）と、該絶縁操作棒（２）に基端部（５ａ）が回動支持されると共に、碍子（２０）に引っ掛けられるように形成された引掛部（１５ａ）と、該引掛部（１５ａ）の両側に螺旋状に巻回された巻回部（１５ｃ，１５ｃ）とを有するバインド線（１５）を着脱する回動アーム（５）とを備えたバインド線着脱工具において、前記回動アーム（５）は、先端部（５ｂ）の端部及びその対向面（６）の距離が、電線（１０）とバインド線（１５）の半径を加えた長さとなるように、先端部（５ｂ）が湾曲して形成され、しかも、先端部（５ｂ）の端部及びその対向面（６）に、電線（１０）及びバインド線（１５）に当接する平坦面（７）が形成されることを特徴とするバインド線着脱工具。
【請求項２】
前記回動アーム（５）は、二股状に形成され、各先端部（５ｂ，５ｂ）は、互いに内向きに湾曲されていることを特徴とする請求項１に記載のバインド線着脱工具。
【請求項３】
前記先端部（５ｂ）は、バインド線（１５）の巻回部（１５ｃ）が挿入される溝（８，…）が内面に形成されることを特徴とする請求項１又は２に記載のバインド線着脱工具。
【発明の詳細な説明】
【技術分野】
【０００１】
本発明は、碍子の外周面に形成された環状凹部に電線を当接させておいて、バインド線を碍子に引っ掛けつつ、該電線にバインド線を螺旋状に巻き付けたり、電線に巻回されたバインド線を取り外したりする場合に使用されるバインド線着脱工具に関する。
【背景技術】
【０００２】
従来のこの種のバインド線着脱工具は、例えば、絶縁操作棒と、該絶縁操作棒の先端部に固着された回動アームとを備えているものが公知なっている（特許文献１参照）。そして、該回動アームは、該絶縁操作棒の軸心に対して直交方向に設けられた回動軸と、該回動軸の先端部に取り付けられた、電線の外径に対応した曲率半径で略Ｕ字形状に湾曲して形成された支持フック部と、該支持フック部の先端部に固着された、先端が尖った梃子とを有している。
【０００３】
また、上記バインド線着脱工具において、碍子に電線を固定する際に使用されるバインド線は、碍子の環状凹部に引っ掛けられるように中央部に形成されたＵ字形状の湾曲部と、電線に対して螺旋状に巻回できるように、該湾曲部の両端部に螺旋状に巻回して形成された一対の巻回部とを有している。
【０００４】
そして、上述したバインド線着脱工具とバインド線を用いて、碍子に電線を固定する場合、作業者は、間接活線工事用把持具で碍子の環状凹部に、バインド線の湾曲部を予め引っ掛けておき、湾曲部の近傍に位置する部位から端部側に向かって順次処理していく。即ち、バインド線着脱工具の梃子の尖頭部を、バインド線の巻回部と電線の外周面との隙間にこじ入れると共に、支持フック部の湾曲部の外面を電線の外周面に当接する。その後、梃子を回転させつつ、支持フック部を電線に引っ掛ける。この状態で、梃子を電線の端部に向かって回転させていくことで、バインド線の巻回部が電線の外周面に沿って螺旋状に巻回されるようになる。
【先行技術文献】
【特許文献】
【０００５】
【特許文献１】特開２００４−１５３９００号公報
【発明の概要】
【発明が解決しようとする課題】
【０００６】
しかしながら、従来のバインド線着脱工具は、バインド線と電線の外周面との隙間をねらって、バインド線着脱工具の梃子の尖頭部を遠隔から入れる必要があるため、その作業が困難であると共に、場合によっては、梃子の尖頭部によって、電線やバインド線の絶縁被覆を損傷することもあると考えられる。
【０００７】
そこで、本発明は、上記問題点を鑑み、電線やバインド線の絶縁被覆を損傷することなく、碍子に対するバインド線の巻き付け作業が簡単且つ迅速に行うことができるバインド線着脱工具を提供することを目的とする。
【課題を解決するための手段】
【０００８】
前記課題を解決するために、本発明に係るバインド線着脱工具は、絶縁操作棒２と、該絶縁操作棒２に基端部５ａが回動支持されると共に、碍子２０に引っ掛けられるように形成された引掛部１５ａと、該引掛部１５ａの両側に螺旋状に巻回された巻回部１５ｃ，１５ｃとを有するバインド線１５を着脱する回動アーム５とを備えたバインド線着脱工具において、前記回動アーム５は、先端部５ｂの端部及びその対向面６の距離が、電線１０とバインド線１５の半径を加えた長さとなるように、先端部５ｂが湾曲して形成され、しかも、先端部５ｂの端部及びその対向面６に、電線１０及びバインド線１５に当接する平坦面７が形成されることを特徴とする。
【０００９】
電線１０にバインド線１５を巻回する場合、碍子２０に引っ掛けられるように形成された引掛部１５ａと、該引掛部１５ａの両側に螺旋状に巻回された巻回部１５ｃ，１５ｃとを有しているバインド線１５を使用することを前提としており、このバインド線１５の引掛部１５ａを碍子２０に引っ掛けると共に、バインド線１５の巻回部１５ｃを電線１０の外周面に予め当接させておく。この状態で、回動アーム５の先端部５ｂの端部の平坦面７がバインド線１５に当接するように、且つ、先端部５ｂの端部に対向する対向面６の平坦面７が電線１０に当接するように、回動アーム５の先端部５ｂの内面を電線１０及びバインド線１５に引っ掛ける。この際、回動アーム５の先端部５ｂにおける、先端部５ｂの端部とその対向面６との距離が、電線１０とバインド線１５との半径を加えた長さとなっているので、バインド線１５が、電線１０の外周面と、前記先端部５ｂの端部の平坦面７とで挟持されることになる。この状態から回動アーム５を、バインド線１５の引掛部１５ａから巻回部１５ｃにかけて、電線１０の外周面に沿って連続して回動すれば、バインド線１５の巻回部１５ｃが電線１０の外周面に沿って螺旋状に巻回されるようになる。
【００１０】
電線１０に巻回されたバインド線１５を取り外す場合、バインド線１５によって、碍子２０に電線１０が固定された状態、即ち碍子２０にバインド線１５の引掛部１５ａが引っ掛けられると共に、巻回部１５ｃが電線１０に巻回された状態において、回動アーム５の先端部５ｂの端部の平坦面７がバインド線１５に当接するように、且つ、先端部５ｂの端部に対向する対向面６の平坦面７が電線１０に当接するように、回動アーム５の先端部の内面を電線１０及びバインド線１５に引っ掛けて、バインド線１５を、電線１０の外周面と、前記先端部５ｂの端部の平坦面７とで挟持する。そして、回動アーム５を、バインド線１５の巻回部１５ｃから引掛部１５ａにかけて、電線１０の外周面に沿って連続して回動すれば、バインド線１５の巻回部１５ｃが電線１０の外周面から順次離脱して、電線１０からバインド線１５を取り外せるようになる。
【００１１】
また、本発明によれば、前記回動アーム５を二股状に形成し、各先端部５ｂ，５ｂを、互いに内向きに湾曲させるような構成を採用することもできる。
【００１２】
この場合、電線１０の上側の外周面と、下側の外周面とで、回動アーム５の各先端部５ｂ，５ｂを使い分けて、バインド線１５を巻回することができる。したがって、バインド線１５の着脱作業がより効率よく行うことができる。
【００１３】
また、本発明によれば、前記先端部５ｂの内面に、バインド線１５の巻回部１５ｃが挿入される溝８，…を形成するような構成を採用することもできる。
【００１４】
この場合、回動アーム５の先端部に形成された複数の溝８，…に、バインド線１５の巻回部１５ｃが挿入されることによって、回動アーム５の回動にバインド線１５の巻回部１５ｃが追従するようになるため、電線１０の外周面に沿って巻回しやすく、或いは、電線１０の外周面から取り外しやすくなる。
【発明の効果】
【００１５】
以上のように、本発明によれば、絶縁操作棒に回動支持される回動アームの先端部を、該先端部の端部及びその対向面の距離が、電線とバインド線の半径を加えた長さとなるように湾曲させるようにしたので、電線及び電線に当接しているバインド線に、回動アームの先端部の内面を引っ掛けることができる。即ち、従来のように、電線とバインド線の間に尖った梃子の先端を突き通すようなことがないので、電線及びバインド線の絶縁被覆を損傷することがない。
【００１６】
しかも、先端部の端部及びその対向面に、電線及びバインド線に当接する平坦面を形成するようにしたので、回動アームをバインド線の引掛部から巻回部にかけて連続して回動することで、該回動アームの回動にバインド線の巻回部が追従するようになって、電線に対してバインド線を巻回しやすく、或いは、取り外しやすくなり、バインド線の着脱作業を簡単且つ迅速に行うことができる。
【図面の簡単な説明】
【００１７】
【図１】本発明の一実施形態に係るバインド線着脱工具を示す図。
【図２】バインド線着脱工具に使用されるバインド線を示す図。
【図３】他のバインド線を示す図。
【図４】碍子を示す斜視図。
【図５】（ａ）は、引掛部に電線が挿入されたバインド線を、碍子の上方に位置させた状態を示す図、（ｂ）は、拡径された状態のバインド線の引掛部を、碍子の頭部から挿入する状態を示す図。
【図６】（ａ）〜（ｄ）はバインド線着脱工具に使用態様を示し、一方の先端部によってバインド線を電線の外周面に巻回する状態を示す図。
【図７】（ａ）〜（ｄ）はバインド線着脱工具に使用態様を示し、他方の先端部によってバインド線を電線の外周面に巻回する状態を示す図。
【図８】碍子に、図２のバインド線を使用して電線を固定した状態を示す図。
【図９】碍子に、図３のバインド線を使用して電線を固定した状態を示す図。
【図１０】湾曲した先端部を一つ有するバインド線着脱工具の変形例を示す図。
【図１１】互いに異なる方向に湾曲させた先端部を有するバインド線着脱工具の変形例を示す図。
【発明を実施するための形態】
【００１８】
以下、本発明の実施形態に係るバインド線着脱工具について、図１〜図９を参照しつつ説明する。
【００１９】
本実施形態に係るバインド線着脱工具１は、図１に示すように、絶縁操作棒２と、該絶縁操作棒２に、基端部としての中央部５ａが軸３によって回動支持される二股状の回動アーム５とで構成されている。なお、電線及びバインド線には、絶縁被覆が設けられているものとする。
【００２０】
回動アーム５は、互いに内向きになるように湾曲（円弧状）された各先端部５ｂ，５ｂが、線対称の位置（正反対の位置）に配置されており、各先端部５ｂ，５ｂにおける、先端部５ｂの端部及びその対向面の距離が、後述する電線１０とバインド線１５の半径を加えた長さになっている。この理由としては、回動アーム５における先端部５ｂの内面を電線１０及びバインド線１５に引っ掛けるためである。また、前記各先端部５ｂ，５ｂの端部及びその対向面６に、電線１０及びバインド線１５に当接する平坦面７，７が形成されている。この理由としては、バインド線１５を、回動アーム５の先端部５ｂの内面と電線１０の外周面とで挟圧して回動する必要があるためである。また、先端部５ｂの内面に、後述するバインド線１５、１５０の巻回部１５ｃ、１５０ｂが挿入される溝８，…が所定の間隔をおいて幅方向に沿って複数形成されている。この理由としては、バインド線１５を回動アーム５の回動に追従しやすいように、且つ、電線１０の外周面にバインド線１５を円滑に巻回しやすいようにするためである。
【００２１】
ここで、バインド線着脱工具１に使用される２種類のバインド線の構成について図２及び図３を参照して説明する。図２に示すバインド線１５は、一本の線状体を交差させて形成された環状の引掛部１５ａと、該引掛部１５ａの交差部位１５ａ'からその反対側に延出された一対の延出部１５ｂ，１５ｂと、該各延出部１５ｂ，１５ｂから互いに離間する方向に（外向きに折り曲げて）延出されると共に、所定のピッチで螺旋状に巻回される巻回部１５ｃ，１５ｃとを有している。そして、引掛部１５ａは、後述する碍子２０の環状凹部２４に引っ掛けられるように、その内径が該環状凹部２４の外径に略等しくなるように形成されている。また、巻回部１５ｃ，１５ｃは、比較的大きなピッチで、凸凹の波形が２回連続して形成されると共に、電線１０の外径よりもやや小さい内径を有している。この理由としては、電線１０に対する巻回部１５ｃ，１５ｃの巻き付け回数をできる限り少なくしつつ、巻き付けによる締付力及び支持力をできるだけ離れた位置まで電線１０に作用させるためである。したがって、巻回部１５ｃ，１５ｃが、引掛部１５ａの近傍ではなく、引掛部１５ａからできるだけ離れた位置まで巻回されることで、引掛部１５ａを充分に締め付けることができると共に、電線１０を安定して水平支持することができる。
【００２２】
図３に示すバインド線１５０は、碍子２０の環状凹部２４に引っ掛けられるように、中央部が逆Ｕ字形状に湾曲して形成される引掛部１５０ａと、該引掛部１５０ａの両側に、所定のピッチで螺旋状に巻回される巻回部１５０ｃ，１５０ｃとを有している。
【００２３】
つぎに碍子２０の構成について図４を参照して説明する。該碍子２０は、内部に複数のひだ（図示せず）が形成されると共に、中央部に、支持物に固定するための金物部、即ち腕金に固定するためのネジ棒からなるピン２２が垂設された大径の基部２１と、該基部２１よりも小径の頭部２３とが連設されている。そして、基部２１と頭部２３との間に、頭部２３よりも小径の環状凹部２４が周方向に形成されており、該環状凹部２４に、図２及び図３に示すバインド線１５、１５０の引掛部１５ａ、１５０ａが引っ掛けられた状態で、電線１０が当接される。
【００２４】
つぎに使用態様について図５〜図９を参照して説明する。まず、図２に示すバインド線１５の交差部位１５ａ'から電線を挿入する。この際、バインド線１５は、図５（ａ）に示すように、一方の巻回部１５ｃ及び延出部１５ｂが電線１０の上側に位置し、さらに、該一方の延出部１５ｂに続く引掛部１５ａが電線１０の上側から下側を通って交差し、該交差部位１５ａ'に続く他方の延出部１５ｂ及び巻回部１５ｃが電線１０の下側に位置するようになる。つまり、電線１０が環状の引掛部１５ａを通って、一方の巻回部１５ｃと他方の巻回部１５ｃとで上下から挟持されるようになっている。
【００２５】
この状態で、図５（ｂ）に示すように、バインド線１５の各巻回部１５ｃ、１５ｃを互いに近接する方向に押圧して、バインド線１５の引掛部１５ａの内径を拡径する。そして、バインド線１５の引掛部１５ａにおいて、交差部位１５ａ'と電線１０との隙間Ｓに、碍子２０の頭部２３を挿通する。この際、バインド線１５の交差部位１５ａ'と電線１０とが、碍子２０を挟むような位置関係にある。その後、碍子２０の環状凹部２４の位置で、バインド線１５に対する押圧を解除すると、拡径された引掛部１５ａが自己の弾性力によって縮径されて、引掛部１５ａに締付力が作用して、碍子２０の環状凹部２４に電線１０が引き寄せられて、碍子２０に電線１０が仮固定された状態になる。
【００２６】
つぎに、作業者は、回動アーム５の各先端部５ｂ，５ｂが上下に位置するようにして、回動アーム５の一方（上側）の先端部５ｂの端部の平坦面７がバインド線１５に当接するように、且つ、先端部５ｂの端部に対向する対向面６の平坦面７が電線１０に当接するように、絶縁操作棒２を操作して、回動アーム５の上側の先端部５ｂの内面を電線１０及びバインド線１５に引っ掛ける。この際、回動アーム５における先端部５ｂの端部とその対向面６との距離が、電線１０とバインド線１５との半径を加えた長さとなっているので、図６（ａ）に示すように、バインド線１５が、電線１０の外周面と、前記先端部５ｂの端部の平坦面７とで挟持されることになる。但し、図６（ａ）の場合、電線１０に対してバインド線１５の当接位置が水平方向になっているが、これに限定されるものではなく、電線１０の外周面のいずれの位置であっても、前記距離が設定されていればバインド線１５を電線１０の外周面とで挟圧できる。
【００２７】
そして、図６（ｂ）に示すように、バインド線１５を挟持した状態の回動アーム５を、図６（ｂ）の正面から見て所定角度、時計方向に回動する。続いて、図６（ｃ）に示すように、回動アーム５の先端部５ｂを元の位置、即ち各先端部５ｂ，５ｂが上下に位置する位置に戻して、上側の先端部５ｂの内面を電線１０及びバインド線１５に引っ掛ける。そして、図６（ｄ）に示すように、バインド線１５を元の位置から略反対側に位置するまで、回動アーム５を回動させる。
【００２８】
その後、回動アーム５の先端部５ｂを電線１０及びバインド線１５から一旦離間させ、図７（ａ）に示すように、回動アーム５の各先端部５ｂ，５ｂを再度上下に位置させて、回動アーム５の他方（下側）の先端部５ｂの端部の平坦面７がバインド線１５に当接するように、且つ、先端部５ｂの端部に対向する対向面６の平坦面７が電線１０に当接するように、回動アーム５の下側の先端部５ｂの内面を電線１０及びバインド線１５に引っ掛ける。
【００２９】
つぎに、図７（ｂ）に示すように、回動アーム５を所定角度、時計方向に回動させた後、図７（ｃ）に示すように、回動アーム５を元の位置に戻して、回動アーム５の先端部５ｂを電線１０及びバインド線１５に再度引っ掛ける。そして、図７（ｄ）に示すように、バインド線１５を電線１０の外周面に対して略一回転させる。即ち、バインド線１５を電線１０の外周面に巻回する。
【００３０】
上述した図６及び図７の回動操作を、バインド線１５の延出部１５ｂの近傍から巻回部１５ｃにかけて移動させつつ、電線１０の外周面に沿って繰り返し回動すれば、バインド線１５の巻回部１５ｃが電線１０の外周面に沿って螺旋状に巻回される。即ち、バインド線１５の巻回部１５ｃ、１５ｃの巻回によって、バインド線１５全体に締付力が作用することになり、碍子２０の環状凹部２４に電線１０が密着した状態で固定されると共に、安定支持されるようになる（図８参照）。
【００３１】
つぎに、電線１０に巻回されたバインド線１５を取り外す場合、一方の作業者が、間接活線工事用把持具で、電線１０を把持し、他方の作業者が、上記と同様に、回動アーム５の先端部５ｂ，５ｂを上下に位置させた状態で、上側の先端部５ｂの端部、及び、対向面６の平坦面７がバインド線１５に当接するように、回動アーム５の先端部５ｂの内面を電線１０及びバインド線１５に引っ掛けて、バインド線１５を、電線１０の外周面と、前記先端部５ｂの端部の平坦面７とで挟持する。そして、回動アーム５を、上記とは逆方向、即ちバインド線１５の巻回部１５ｃから延出部１５ｂの近傍にかけて移動させつつ、電線１０の外周面に沿って繰り返し回動すれば、バインド線１５の巻回部１５ｃが電線１０の外周面から順次離脱して、電線１０からバインド線１５を取り外せるようになる。
【００３２】
また、図３に示すバインド線１５０を、上記と同様に、予め、湾曲して形成されたバインド線１５０の引掛部１５０ａを碍子２０の環状凹部２４に引っ掛けると共に、巻回部１５０ｃを電線１０の外周面に当接させた状態において、図６及び図７に示した手順で巻回すれば、図９に示すように巻回される。また、電線１０からバインド線１５０を取り外す場合も、上記と同様の手順によってなされる。
【００３３】
なお、前記実施形態の場合、バインド線１５、１５０を電線１０の外周面に単に巻き付けるようにしているが、バインド線１５、１５０の端末処理を行うようにしてもよい。即ち、バインド線１５、１５０を電線１０の外周面に巻き付けた際、その端部を電線１０に対して平行させると共に、該端部に絶縁性のキャップを被着させるようにしてもよい（図示せず）。
【００３４】
また、前記実施形態の場合、互いに内向きに湾曲した先端部５ｂ，５ｂを有する二股状の回動アーム５を使用したが、図１０に示すように、単一の先端部５０ｂを有する回動アーム５０を使用してもよい。また、回動アーム５の先端部５ｂの湾曲方向として、前記実施形態では、互いに内向きに湾曲させたが、図１１に示すように、互いに異なる方向に湾曲させた先端部５００ｂ，５００ｂとするようにしてもよい。但し、バインド線１５、１５０を電線１０の外周面に巻回する作業性を考慮すると、互いに内向きに湾曲させることが好ましい。
【００３５】
また、前記実施形態の場合、回動アーム５を複数回に亘って回動することで、バインド線１５、１５０を電線１０の外周面に巻回するようにしたが、一度に半回転以上させることで巻回するようにしてもよい。
【符号の説明】
【００３６】
１…バインド線着脱工具、２…絶縁操作棒、３…軸、５、５０、５００…回動アーム、５ａ、５０ａ、５００ａ…基端部（中央部）、５ｂ、５０ｂ、５００ｂ…先端部、６、６０、６００…対向面、７、７０、７００…平坦面、８、８０、８００…溝、１０…電線、１５、１５０…バインド線、１５ａ、１５０ａ…引掛部、１５ａ'…交差部位、１５ｂ…延出部、１５ｃ、１５０ｃ…巻回部、２０…碍子、２１…基部、２２…支持部、２３…頭部、２４…環状凹部
【図１】
2010288412.tif 000003
【図２】
2010288412.tif 000004
【図３】
2010288412.tif 000005
【図４】
2010288412.tif 000006
【図５】
2010288412.tif 000007
【図６】
2010288412.tif 000008
【図７】
2010288412.tif 000009
【図８】
2010288412.tif 000010
【図９】
2010288412.tif 000011
【図１０】
2010288412.tif 000012
【図１１】
2010288412.tif 000013